(57)【要約】【課題】外観を向上できる照明装置を提供する。【解決手段】照明装置10は、発光部22、透明な外カバー23、および外カバー23よりも光拡散性を有する内カバー24を備える。外カバー23は、発光部22に対向する外カバー前面部50、および外カバー前面部50の周囲に設けられた外カバー側面部51を有する。内カバー24は、外カバー前面部50の内面に対向される内カバー前面部60、および内カバー前面部60の周囲に設けられ外カバー側面部51の内面に対向される内カバー側面部61を備える。内カバー前面部60の周辺部60aと外カバー前面部50との間の間隔L1が内カバー前面部60の周辺部60aよりも内側の中央領域60bと外カバー前面部50との間の間隔L2よりも狭い。【選択図】図１
2020053184.tif 000002
【特許請求の範囲】
【請求項１】
発光部と；
前記発光部に対向する外カバー前面部、およびこの外カバー前面部の周囲に設けられた外カバー側面部を有する透明な外カバーと；
前記外カバー前面部の内面に対向される内カバー前面部、およびこの内カバー前面部の周囲に設けられ前記外カバー側面部の内面に対向される内カバー側面部を備え、前記内カバー前面部の周辺部と前記外カバー前面部との間の間隔が前記内カバー前面部の前記周辺部よりも内側の中央領域と前記外カバー前面部との間の間隔よりも狭く、光拡散性を有する内カバーと；
を具備することを特徴とする照明装置。
【請求項２】
前記内カバーは、前記内カバー前面部の前記周辺部に前記内カバー前面部の前記中央領域よりも突出するとともに前記内カバー側面部に連続する突出部を備えている
ことを特徴とする請求項１記載の照明装置。
【請求項３】
前記内カバーは、前記突出部の先端から突出され、前記外カバー前面部の内面に当接する当接部を備えている
ことを特徴とする請求項２記載の照明装置。
【請求項４】
前記内カバー側面部と前記外カバー側面部との間の間隔は、前記内カバー前面部の前記中央領域と前記外カバー前面部との間の間隔よりも小さい
ことを特徴とする請求項１ないし３いずれか一記載の照明装置。
【発明の詳細な説明】
【技術分野】
【０００１】
本発明の実施形態は、透明な外カバーを備えた照明装置に関する。
【背景技術】
【０００２】
従来、発光部を透明な外カバーで覆う照明装置では、発光部の眩しさを緩和するために外カバーの内側に光拡散性を有する内カバーを配置したものがある。
【０００３】
内カバーは、外カバーに近過ぎると拡散効果が低く、外カバーに接触させたり一体的に形成される場合には界面での反射により外カバーからの光の取出効率が低下してしまう。
【０００４】
そのため、間隔をあけて配置することが好ましいが、外カバーの側面から内カバーの形状が容易に把握できてしまい、外観が損なわれてしまう。
【先行技術文献】
【特許文献】
【０００５】
【特許文献１】特許第６２３８１８２号公報
【発明の概要】
【発明が解決しようとする課題】
【０００６】
本発明は、外観を向上できる照明装置を提供することである。
【課題を解決するための手段】
【０００７】
実施形態の照明装置は、発光部、透明な外カバー、および光拡散性を有する内カバーを備える。外カバーは、発光部に対向する外カバー前面部、および外カバー前面部の周囲に設けられた外カバー側面部を有する。内カバーは、外カバー前面部の内面に対向される内カバー前面部、および内カバー前面部の周囲に設けられ外カバー側面部の内面に対向される内カバー側面部を備える。内カバー前面部の周辺部と外カバー前面部との間の間隔が内カバー前面部の周辺部よりも内側の中央領域と外カバー前面部との間の間隔よりも狭い。
【発明の効果】
【０００８】
実施形態の照明装置によれば、外観の向上が期待できる。
【図面の簡単な説明】
【０００９】
【図１】一実施形態を示す照明装置の光源ユニットの断面図である。
【図２】同上光源ユニットの内カバーの斜視図である。
【図３】同上光源ユニットの係止部の位置での拡大断面図である。
【図４】同上光源ユニットの係止部から外れた位置での拡大断面図である。
【図５】同上照明ユニットの組立過程を示す斜視図である。
【図６】同上照明ユニットの図５に続く組立過程を示す斜視図である。
【図７】同上照明ユニットの図６に続く組立過程を示す斜視図である。
【図８】同上光源ユニットの分解斜視図である。
【図９】同上光源ユニットの斜視図である。
【図１０】同上照明装置の斜視図である。
【発明を実施するための形態】
【００１０】
以下、一実施形態を、図面を参照して説明する。
【００１１】
図１０に照明装置10の斜視図を示す。照明装置10は、天井に設けられた開口部に埋め込み設置される埋込形照明装置である。照明装置10は、天井に設置される本体ユニット11と、この本体ユニット11に着脱可能に取り付けられる光源ユニット12とを備えている。
【００１２】
本体ユニット11は、本体部15、およびこの本体部15に取り付けられた反射板16を備えている。
【００１３】
本体部15は、四角形状に形成され、天井の開口部に挿入され、天井の開口部の上方に設置されている吊ボルトに対して取り付けられる。本体部15の下面には、光源ユニット12を取り付けるための一対の受金具17、光源ユニット12に点灯電源を供給する電源部18、およびこの電源部18に配線接続されていて外部からの電源線を接続する端子台19等を備えている。
【００１４】
反射板16は、四角形枠状に形成され、光照射方向である下方に向けて拡開するように反射面が形成されている。照明装置10の設置時に、反射板16の周辺部が天井面に当接され、天井の開口部を隠蔽する。
【００１５】
次に、図８および図９に光源ユニット12の全体を示し、図１ないし図７に光源ユニット12の一部の構成を示す。光源ユニット12は、四角形状に形成され、反射体16の内側を通じて本体部15の下面に着脱可能に取り付けられる。
【００１６】
光源ユニット12は、器具本体としてのベースプレート21、このベースプレート21の一面である下面に配置される発光部22、ベースプレート21の下面側に配置されるカバーとしての外カバー23および内カバー24、ベースプレート21と外カバー23および内カバー24との間に介在されるパッキング25、およびベースプレート21の他面である上面に取り付けられる一対の取付機構26を備えている。
【００１７】
ベースプレート21は、例えば１枚の金属板をプレス加工して一体に形成されている。ベースプレート21は、四角形板状のプレート部30、このプレート部30の周辺部に設けられた四角形枠状の嵌合枠部31を有している。
【００１８】
プレート部30の一面である下面に発光部22が取り付けられ、他面である上面に取付機構26が取り付けられている。
【００１９】
嵌合枠部31は、プレート部30の周辺部から上方に立ち上げられた立上げ部32、この立上げ部32の上端から外側方に向けて突出された縁部33、およびこの縁部33の外端から下方に向けて折曲された側面部34を有している。立上げ部32と縁部33と側面部34との間には、下方に開口する嵌合溝35が形成されている。
【００２０】
嵌合枠部31の各辺の縁部33には、複数の挿通孔36が設けられている。挿通孔36は、縁部33の辺に沿って横長で、縁部33の内周側を除き、縁部33から側面部34の一部に亘って開口されている。挿通孔36に臨む側面部34の上縁には、複数の連結部37を介して押え部38が一体に設けられている。押え部38は、挿通孔36に沿って横長の平板状に形成されており、挿通孔36内でパッキング25の外周側を押えるものである。押え部38は、初期段階では側面部34に沿って立ち上げられており、光源ユニット12の組立時において、かしめ治具を用いて、パッキング25の外周側を押えるように、複数の連結部37を介して挿通孔36内に入り込んだ傾斜状にかしめられる。なお、嵌合枠部31の各辺の縁部33に設けられる挿通孔36は１つでもよい。
【００２１】
なお、ベースプレート21には、発光部22や取付機構26をねじ止めするための複数の取付孔が設けられているが、それら取付孔はねじが螺着されることで閉塞されており、挿通孔36のみが開口されている。
【００２２】
また、発光部22は、面状光源である発光モジュール40を備えている。発光モジュール40は、四角形状の基板41、およびこの基板41の一面に実装された複数の発光素子（半導体発光素子）42を備えている。発光素子42は、例えばＬＥＤや有機ＥＬ等が含まれる。そして、発光モジュール40は、基板41の他面がベースプレート21の下面に熱的に接続された状態に取り付けられる。発光モジュール40には給電用の図示しないコネクタ付ケーブルが接続されている。このコネクタ付ケーブルは、ベースプレート21に設けられる配線孔を通じて外部に引き出され、電源部18から引き出されているコネクタ付ケーブルとコネクタ接続される。ベースプレート21の配線孔はコネクタ付ケーブルが挿通するパッキング等で閉塞されている。
【００２３】
また、外カバー23は、透明な例えば樹脂材料によって一体に形成されている。外カバー23は、発光部22に対向する四角形状の外カバー前面部50、およびこの外カバー前面部50の周囲に設けられた四角形枠状の外カバー側面部51を有している。これら外カバー前面部50および外カバー側面部51によってカバー本体52が構成されている。
【００２４】
外カバー前面部50は、平板状で、内面または外面に図示しない複数のレンズが形成されている。レンズは例えば三角柱状や半球状に形成されている。
【００２５】
外カバー側面部51は、外カバー前面部50の周辺部から上方に立ち上げられており、上端部がベースプレート21の嵌合枠部31の嵌合溝35にパッキング25を介して配置される。外カバー側面部51の外面の上端近傍にはフランジ部53が外側方へ向けて突設されている。
【００２６】
外カバー側面部51の各辺の上端には、ベースプレート21の挿通孔36に挿通される係止部54が一体に突設されている。この係止部54の先端にはカバー本体52の内側方向へ向けて爪部55が突設されている。爪部55は、先端側が傾斜面55aで、先端側に対して反対側が係止部55の内側面に対して略直角となる係止面55bとされ、この係止面55bがベースプレート21の縁部33の上面に係合される。
【００２７】
係止部54は、外カバー側面部51の外面側に突出する壁部56上に設けられている。壁部56の上部にはカバー本体52の内側方向に向けて突出するガイド部57が設けられている。
【００２８】
また、図１ないし図４、図８に示すように、内カバー24は、例えば樹脂材料によって一体に形成されている。内カバー24は、光透過性を有するとともに、外カバー23よりも光拡散性を有している。例えば、内カバー24は、乳白に形成され、あるいは光拡散剤が含有され、あるいは拡散表面処理が施されている。内カバー24は、外カバー23の内側に沿って配置されるように、外カバー23の内面形状に対応した相似形に形成されている。
【００２９】
内カバー24は、外カバー前面部50の内面に対向される四角形状の内カバー前面部60、およびこの内カバー前面部60の周囲に設けられ外カバー側面部51の内面に対向される四角形枠状の内カバー側面部61を有している。
【００３０】
内カバー前面部60の周辺部60aを除く中央領域60bは、平板状に形成されている。内カバー前面部60の周辺部60aには、内カバー前面部60の中央領域60bよりも下面側に突出するとともに内カバー側面部61に連続する突出部62が設けられている。突出部62は、断面略Ｖ字形で、内カバー前面部61の全周に亘って環状に設けられている。突出部62の先端には、外カバー前面部50の内面に当接する当接部63が突設されている。当接部63は、突出部62の各辺に複数個ずつ配置され、例えば半球状に形成されている。
【００３１】
内カバー側面部61は、内カバー前面部60の周辺部から突出部62を介して立ち上げられており、上端部がベースプレート21の嵌合枠部31の嵌合溝35にパッキング25を介して配置される。内カバー側面部61の上端には、パッキング25に嵌合するパッキング嵌合部64が設けられている。パッキング嵌合部64は、パッキング25の下面側に嵌合する下面側嵌合部65、およびパッキング25の内周側に嵌合する内周側嵌合部66を有している。内カバー側面部61の上端には、外カバー23の各ガイド部57の位置に対応して、各ガイド部57が入り込む切欠部67が形成されている。この切欠部67によってパッキング嵌合部64が切り欠かれている。
【００３２】
そして、内カバー前面部60の周辺部60aと外カバー前面部50との間の間隔L1は、内カバー前面部60の周辺部60aよりも内側の中央領域60bと外カバー前面部50との間の間隔L2よりも狭い関係にある。本実施形態では、突出部62の当接部63が外カバー前面部50の内面に当接し、それらの間の間隔は０となる。さらに、内カバー側面部61と外カバー側面部51との間の間隔L3は、内カバー前面部60の中央領域60bと外カバー前面部50との間の間隔L2よりも小さい関係にある。
【００３３】
また、パッキング25は、例えばシリコーン樹脂やゴム等により、四角形の環状に形成されている。パッキング25は、水平方向の幅が上下方向の幅よりも広い断面略四角形に形成されている。パッキング25は外カバー23の外カバー側面部51の上端側に配置されるとともに、パッキング25の内周側が内カバー24のパッキング嵌合部64に嵌合される。
【００３４】
パッキング25は、外カバー23の各係止部54の外側つまり外周側を迂回するように配置される。外カバー23の各係止部54の位置に対応して、パッキング25の内周には各係止部54が係合する溝部70が形成されているとともに、パッキング25の外周には迂回部71が突設されている。
【００３５】
また、図８および図９に示すように、取付機構26は、本体ユニット11の受金具17に着脱可能とする取付ばね80、この取付ばね80を回動可能に支持するばね支持部材81、および取付ばね80に対して付勢力を付与するばね押え部材82を備えている。そして、取付ばね80を本体ユニット11の受金具17に引っ掛けて光源ユニット12を押し上げることにより、取付ばね80がばね押え部材82に接触して弾性変形しながら回動するとともに、回動する取付ばね80が所定の中立点を越えると光源ユニット12を本体ユニット11に引き上げる方向に付勢力が働き、光源ユニット12が本体ユニット11に取り付けられる。
【００３６】
そして、光源ユニット12の組立時には、ベースプレート21に発光部22および取付機構26を取り付け、外カバー23に内カバー24およびパッキング25の順に組み付ける。
【００３７】
内カバー24を外カバー23の内側に挿入することにより、内カバー24の各切欠部67が外カバー23の係止部54を通過して各ガイド部57に対向する位置に配置され、内カバー24の各当接部63が外カバー23の外カバー前面部50の内面に当接し、内カバー24が外カバー23の内側に位置決め配置される。
【００３８】
図５および図６に示すように、パッキング25を、外カバー23の外カバー側面部51の上端側に沿って配置するとともに、内カバー24のパッキング嵌合部64に沿って嵌合する。このとき、パッキング25の各迂回部71を外カバー側面部51の上端側から突出する各係止部54の外周側に配置し、パッキング25の各溝部70を各係止部54に嵌合する。
【００３９】
その後、ベースプレート21と外カバー側面部51および内カバー側面部61とを組み合わせる。すなわち、ベースプレート21の嵌合溝35に、パッキング25を介して外カバー側面部51の上端側および内カバー側面部61の上端側を挿入する。これにより、外カバー側面部51から突出している各係止部54が、パッキング25の各迂回部71をベースプレート21の各押え部38に押し付けながら、ベースプレート21の縁部33の挿通孔36に挿入される（図７参照）。各係止部54の爪部55が各挿通孔36を通過してベースプレート21の縁部33上に係合し、ベースプレート21と外カバー23とが連結される。かしめ治具により押え部38をパッキング25の外周側から押えるようにかしめる。これにより、光源ユニット12の組み立てが完了する。
【００４０】
光源ユニット12の組立状態では、パッキング25が、ベースプレート21の縁部33、側面部34および押え部38と、外カバー23の外カバー側面部51、壁部56および係止部54との間に介在して隙間なく密着し、光源ユニット12の内部空間への虫や埃等の異物の侵入を防止する。
【００４１】
パッキング25の内側域において、各係止部54の爪部55とベースプレート21の縁部33とは当接された状態にあるが、それらの当接部間には、虫や埃等の異物が侵入せず、気体のみが通過可能な例えば０．２ｍｍ以下のわずかな通気経路が生じ、光源ユニット12の内外での通気性が確保される。すなわち、各係止部54の爪部55とベースプレート21の縁部33との当接部分の間のわずかな通気経路を通じて、ベースプレート21と内カバー24との間および外カバー23と内カバー24との間と、光源ユニット12の外部との通気性が確保されている。
【００４２】
また、本体ユニット11の本体部15は、天井の開口部に挿入され、天井の開口部の上方に設置されている吊ボルトに対して取り付けられる。反射板16の周辺部が天井面に当接され、天井の開口部が隠蔽される。
【００４３】
本体ユニット11の電源部18と光源ユニット12とを配線接続し、本体ユニット11の受金具17に係合する光源ユニット12の取付機構26により、本体ユニット11に光源ユニット12が装着される。
【００４４】
そして、照明装置10の点灯時には、電源部18から発光モジュール40に点灯電源を供給することにより、発光モジュール40の発光素子42が発光し、発光素子42の光が内カバー24を拡散通過するとともに外カバー23を通過し、照明空間に照射される。
【００４５】
このように構成された本実施形態の照明装置10では、内カバー前面部60の周辺部60aと外カバー前面部50との間の間隔L1が、内カバー前面部60の周辺部60aよりも内側の中央領域60bと外カバー前面部50との間の間隔L2よりも狭い関係にあるため、内カバー前面部60の中央領域60bと外カバー前面部50との間の間隔L2をグレアが防止されるとともに光取出効率がよい適切な間隔に保ちながら、外カバー23の側面から内カバー24が確認しにくくなり、外観を向上できる。
【００４６】
さらに、内カバー前面部60の周辺部60aには、内カバー前面部60の中央領域60bよりも下面側に突出するとともに内カバー側面部61に連続する突出部62が設けられているため、外カバー23の側面から内カバー24が確認しにくく、外カバー23の側面を均一に光らせるとができ、外観を向上できる。
【００４７】
さらに、突出部62の先端には、外カバー前面部50の内面に当接する当接部63が突設されているため、外カバー23と内カバー24との位置決めを容易にでき、しかも、突出部62と外カバー前面部50との間隔を一定に保つことができるとともに、外カバー23と内カバー24との温度変化の差による異音の発生を抑制できる。
【００４８】
また、内カバー側面部61と外カバー側面部51との間の間隔L3は、内カバー前面部60の中央領域60bと外カバー前面部50との間の間隔L2よりも小さい関係にあるため、。外カバー23の側面から内カバー24が確認しにくく、外カバー23の側面を均一に光らせるとができ、外観を向上できる。なお、内カバー側面部61と外カバー側面部51とは接触していてもよい。
【００４９】
また、光源ユニット12の組立状態では、パッキング25がベースプレート21と外カバー23との間に介在して隙間なく密着し、光源ユニット12の内部空間への虫や埃等の異物の侵入を防止できる。さらに、パッキング25の内側域において、係止部54の爪部55とベースプレート21の縁部33とは当接された状態にあるが、それらの当接部間には、虫や埃等の異物が侵入せず、気体のみが通過可能な例えば０．２ｍｍ以下のわずかな通気経路が生じ、光源ユニット12の内外での通気性を確保できる。したがって、光源ユニット12の内部空間への虫や埃等の異物の侵入を防ぎつつ、光源ユニット12の内部空間と外部との通気性を確保することができ、外カバー23が変形したり異音が発生するのを防止できる。
【００５０】
また、パッキング25の内周に設けられた溝部70が係止部54に嵌合して密着するため、係止部54によるベースプレート21への係脱を可能としながら、密閉性を確保することができる。
【００５１】
なお、本体ユニット11および光源ユニット12の外観は、四角形状に限らず、円形でもよい。
【００５２】
また、光源ユニット12のみで照明装置10を構成していてもよい。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
10    照明装置
22    発光部
23    外カバー
24    内カバー
50    外カバー前面部
51    外カバー側面部
60    内カバー前面部
60a   周辺部
60b   中央領域
61    内カバー側面部
62    突出部
63    当接部
【図１】
2020053184.tif 000003
【図２】
2020053184.tif 000004
【図３】
2020053184.tif 000005
【図４】
2020053184.tif 000006
【図５】
2020053184.tif 000007
【図６】
2020053184.tif 000008
【図７】
2020053184.tif 000009
【図８】
2020053184.tif 000010
【図９】
2020053184.tif 000011
【図１０】
2020053184.tif 000012